(57)【特許請求の範囲】
【請求項１】
商品陳列棚のバー部材等に着脱可能に取付けられる係合部と、
前記係合部に後端部が着脱可能に固定された商品陳列バーと、
前記商品陳列バーの上部に位置し前記係合部と連結された中空の溝部を有する支持バーと、
前記支持バーの中空の溝部に前後方向に摺動可能に嵌め込まれる第１鍔部と、該第１鍔部と一体で該支持バーの下方に位置する第２鍔部と、スライド杆を後方付勢するスプリングの一端が接続される支持体を備えるスライド杆と、
前記第２鍔部に手で自在にスライドでき商品の前出し時にスライドしない嵌合強度で取付けられ該スライド杆の操作で前記商品陳列バーに支持された商品を前方に押し付けることができる押し付け体と、を有し、
前記係合部及び前記押し付け体が樹脂製で、前記商品陳列バーが金属製、及び前記支持バーが金属製又は樹脂製であることを特徴とする商品陳列具。
【請求項２】
前記押し付け体は、商品陳列バーを遊嵌で貫通させる貫通孔を形成したものであり、該貫通孔の孔の短径よりやや大きめの第１円筒部と、第１円筒部の前方側であって該第１円筒部の径よりやや大きめの第２円筒部とからなる段差円筒を、該押し付け体の前方に位置する商品陳列バーに前記スライド杆と該押し付け体の嵌合強度より弱い嵌合強度で嵌合させたものであることを特徴とする請求項１記載の商品陳列具。
【請求項３】
前記樹脂が、着色樹脂である請求項１又は２記載の商品陳列具。
【請求項４】
更に、前記係合部に着脱可能に取付けられ、商品を横側面より当接する商品姿勢矯正具を備えることを特徴とする請求項１〜３のいずれか１項記載の商品陳列具。
【発明の詳細な説明】
【０００１】
【発明の属する技術分野】
本発明は、長さの異なる種々の商品陳列バーの交換使用が可能であり、軽量で装飾機能を有する商品陳列具に関する。
【０００２】
【従来の技術】
従来、スーパーやドラッグストアー等の商品陳列棚で用いられる商品陳列具は、商品陳列棚のバー部材に着脱可能又は着脱不可能に取付けることができる係合部と、この係合部の後端部が固定され先端部が上方へ傾斜された商品陳列バーと、この商品陳列バーの上部に位置し、先端部に表示具が取付けられ該商品陳列バーの後端部と連結された支持バーとで構成されているもの、また、該商品陳列具に、更に、支持バーにスライド移動可能に取付けられ前記商品陳列バーに支持された商品を前方に押し付けることができる押し付け体を備え、商品の前出しを短時間で容易に行うことができる商品陳列具が提案されている。
【０００３】
【発明が解決しようとする課題】
しかしながら、従来の商品陳列具は、少なくとも係合部、商品陳列バー及び支持バーが金属製であるため、商品陳列棚のバー部材に固定する場合、前記係合部と前記商品陳列棚のバー部材を溶接するか、又はネジ止め等の方法で行っていた。従って、実際には、商品陳列具を自由に取り替えることはできず、また、種々の機能を付与するにも複雑な取付工程等を必要とし、その使用目的は限定されたものであった。また、重量的にも重く、且つ、地味で見栄えも悪いという印象もあった。また、従来の商品陳列具は商品陳列バー（フック）が係合部に固定されたものであるため、商品の種類及び陳列の在庫数等により長い商品陳列バーを必要とする場合には、それに見合う別途の商品陳列具を準備する必要があり、商品陳列具の在庫管理が複雑化する等の問題があった。
【０００４】
従って、本発明の目的は、商品陳列棚のバー部材等に着脱が容易であり、軽量で装飾機能等多数の機能を付与でき、且つ、長さの異なる種々の商品陳列バーの使用が可能な使い勝手に優れる商品陳列具を提供することにある。
【０００５】
【課題を解決するための手段】
かかる実情において、本発明者は鋭意検討を行った結果、本発明を完成するに至った。すなわち、本発明の請求項１記載の発明は、商品陳列棚のバー部材等に着脱可能に取付けられる係合部と、前記係合部に後端部が着脱可能に固定された商品陳列バーと、前記商品陳列バーの上部に位置し前記係合部と連結された中空の溝部を有する支持バーと、前記支持バーの中空の溝部に前後方向に摺動可能に嵌め込まれる第１鍔部と、該第１鍔部と一体で該支持バーの下方に位置する第２鍔部と、スライド杆を後方不勢するスプリングの一端が接続される支持体を備えるスライド杆と、前記第２鍔部に手で自在にスライドでき商品の前出し時にスライドしない嵌合強度で取付けられ該スライド桿の操作で前記商品陳列バーに支持された商品を前方に押し付けることができる押し付け体と、を有し、前記係合部及び前記押し付け体が樹脂製で、前記商品陳列バーが金属製、及び前記支持バーが金属製又は樹脂製であることを特徴とする商品陳列具を提供するものである。かかる構成を採ることにより、ダブルフックを有し、且つ商品の前出し機能を有する商品陳列具において、商品の支持は強度的に優れる金属製の商品陳列バー部材等で行うため重量物でも陳列でき、また、係合部は樹脂であるため商品陳列棚のバー部材に樹脂の弾性により容易に係合及び脱着ができる。また、寸法安定性を有し、種々のアタッチメント機能を付与し易い構造を有する。また、商品の種類及び陳列の在庫数等により、それに適した長さの商品陳列バーに容易に交換できるため、使い勝手に優れる。
【０００６】
また、本発明の請求項２記載の発明は、前記押し付け体は、商品陳列バーを遊嵌で貫通させる貫通孔を形成したものであり、該貫通孔の孔の短径よりやや大きめの第１円筒部と、第１円筒部の前方側であって該第１円筒部の径よりやや大きめの第２円筒部とからなる段差円筒を、該押し付け体の前方に位置する商品陳列バーに前記スライド杆と該押し付け体の嵌合強度より弱い嵌合強度で嵌合させたものであることを特徴とする前記商品陳列具を提供するものである。
【０００８】
また、本発明の請求項３記載の発明は、前記樹脂が、着色樹脂である商品陳列具を提供するものである。かかる構成を採ることにより、請求項１記載の発明と同様の効果を奏する他、装飾機能を付与できる。
【０００９】
また、本発明の請求項４記載の発明は、更に、前記係合部に着脱可能に取付けられ、商品を横側面より当接する商品姿勢矯正具を備える商品陳列具を提供するものである。かかる構成を採ることにより、隣の商品陳列具に陳列される商品に影響されることなく、当該陳列商品具に陳列される商品を整然と陳列させることができる。
【００１０】
【発明の実施の形態】
本発明の第１の実施の形態について、図１及び図２を参照して説明する。なお、本発明の第１の実施の形態及び第２の実施の形態は、本発明においては参考例となるものである。図１は本発明の実施の形態における商品陳列具の斜視図であり、図２は商品陳列バーを係合部に嵌め込む状態を説明する図である。図１において、商品陳列具１０ａは、係合部２、及び係合部２に後端部が着脱可能に固定される商品陳列バー３とを有する。係合部２は商品陳列棚のバー部材１に着脱可能に係合するナイロン６等の合成樹脂製であり、断面が略コ字状の係合部本体２２と、商品陳列バー３の後端部が着脱可能に支持される嵌合孔２１２を有する固定部２１とからなる。商品陳列バー３は金属製の丸棒であり、後端部は嵌合孔２１２の溝部２１１に係合する一対の鍔部３２を有し、先端部３１は商品の前方への飛び出しを防止するため、やや斜め上方へ屈曲している。このような実施の形態によれば、商品の支持は強度的に優れる金属製の商品陳列バー部材３で行うため重量物でも陳列でき、また、係合部２は樹脂であるため商品陳列棚のバー部材１に樹脂の弾性により容易に係合及び脱着ができる。また、全体に軽量であり寸法安定性を有する。また、種々のアタッチメント機能を付与しやすい構造とすることができる。また、長さの異なる種々の商品陳列バーを交換して使用できるため、商品の種類及び陳列の在庫数等に応じた種々の対応が可能である。
【００１１】
本発明の第２の実施の形態について、図３を参照して説明する。図３は本発明の実施の形態における商品陳列具の斜視図である。図３において、図１と同一の構成要素には同一の符号を付して、その説明を省略し、その異なる点について主に説明する。その異なる点は、前記商品陳列具１０ａに対して、更に、商品陳列バー３の上部に位置し係合部２と連結された先端部に商品表示具を取付けた支持バー４を形成させたところ、及び樹脂に着色樹脂を用いたところにある。
【００１２】
係合部２の上方は略半円板状の連結体２３を形成し、連結体２３はその上方で支持バー４と連接するものである。また、支持バー４は断面が四角状で、連結体２３から前方に延出され、その先端部に図では省略する連結具を介して商品表示具５を取り付けたものである。支持バー４は断面が四角状の他、金属製の丸棒であってもよい。係合部２、連結体２３及び支持バー４は着色剤を含有するナイロン６等の合成樹脂製である。また、商品表示具５は、カード挟持板５１、カード支持基板部５２及び連接部５３から成っている。カード挟持板５１は、カード支持基板部５２の前面にセットされるカード（図では省略）を挟持するもので、カード支持基板部５２の前面に重ね合わせ状態に配置される。このカード挟持板５１の下端縁は断面が略円弧状となる連接部５３を介してカード支持基板部５２の下端縁に一体に連接され、その上端縁はカードの差し込み及び抜き取りが可能なように開放されている。このような本実施の形態によれば、前記第１の実施の形態と同様の効果を奏する他、商品表示の機能及び装飾機能を有する。
【００１３】
本発明の第３の実施の形態について、図４〜図６を参照して説明する。図４は本発明の実施の形態における商品陳列具の斜視図、図５はその使用方法の説明図（但し、商品の姿勢矯正具９の記載は省略した。）、図６は図４のＡ−Ａ断面に沿って切断した断面を正面から見た図である。図４〜図６において、図３と同一の構成要素には同一の符号を付して、その説明を省略し、その異なる点について主に説明する。その異なる点は、前記商品陳列具１０ｂに対して、更に、支持バー４に取付けられ商品陳列バー３に支持された商品（図では省略）を前方に押し付けることができる押し付け体７を設けたところ、商品陳列バー３にスライド移動可能に取付けられた商品の逆戻り防止具８を備えるところ、及び商品の姿勢矯正具９を備えるところにある。
【００１４】
支持バー４はスライド杆６を摺動可能に保持する中空の溝部を有する。また、スライド杆６は上方には支持バー４の該溝部に摺動可能に嵌め込まれる鍔部６１を、下方には押し付け体７の支持部７１を摺動可能に支持する鍔部６２を、後方にはスプリング１１の一方の端を固定する支持体４１をそれぞれ備え、先端部には連結具４２を介して商品表示具５が取り付けられている。すなわち、当該商品陳列具１０ｃは、商品表示具５が取付けられたスライド杆６を常時収納状態に位置できるようにスライド杆６の支持体４１と連結体２３の後端部との間に弾性体、本実施例の形態では引張りスプリング１１を介装したものある。このため、半円板状の連結体２３の中央部には該引張りスプリング１１を収納するスプリング収納部２４を形成する。前記スライド杆６と押し付け体７の嵌合強度は、手で自在にスライドできるが、商品の前出し時にスライドしない嵌合強度とする。
【００１５】
樹脂製の押し付け体７は、スライド杆６に摺動可能に支持される支持部７１と、商品陳列バー３を遊嵌で貫通させる縦長楕円状の貫通孔７３を形成する押し付け体本体７２とから成る。また、商品の逆戻り防止具８は押し付け体本体の貫通孔７３の孔の短径よりやや大きめの径を有する円筒部８１と、円筒部８１の径よりやや大きめの円筒部８２を有する段差円筒である。商品陳列バー３と商品逆戻り防止具８の嵌合強度は、前記スライド杆６と押し付け体７の嵌合強度より弱くすることが好ましい。嵌合強度が強すぎると前出しが円滑に行われないばかりか商品の包装を傷めることになる。また、係合部２、連結体２３及び支持バー４はナイロン６等の合成樹脂製である。また、商品の姿勢矯正具９は線材で構成され、一端が係合部本体２２の横側の前方部に形成される上下２個の係合孔に着脱可能に取り付けられ、他端は前方端部近くまで延出されている。前記商品の姿勢矯正具９は、上記線材の他、板材を使用してもよく、その形状としても特に制限されない。
【００１６】
本第３の実施の形態の商品陳列具１０ｃを使用するには、図では省略する陳列する所望の個数の商品を前方より商品陳列バー３に挿入して吊り下げる。次に、手で商品表示具５を摘み、押し付け体７を引っ張り商品を前出しすると共に、収納状態（手を離した状態）で商品を当接する位置まで押し付け体７をスライドさせてセットする（商品陳列状態）。商品が数個売れた後、商品表示具５を引っ張り、押し付け体７をＣ点まで前出しした後、手を離せば、商品の逆戻り防止具８がＣ点に置かれたまま、押し付け体７は後方のＢ点に収納される（前出し後の商品陳列状態）。この商品の逆戻り防止具８により、前出し後、商品は後方に逆戻りすることなく常に前方に陳列される。また、商品の姿勢矯正具９により、隣に陳列される商品の移動等の動きの影響を受けることなく当該商品陳列具に陳列された商品を横側面より姿勢を矯正できる。次に商品の補充等を行う際、押し付け体７の位置、すなわち、前方端からＢ点まで商品を陳列すればよい。これにより当該商品陳列具の商品の個別の在庫管理が可能となる。このような本実施の形態によれば、前記第２の実施の形態と同様の効果を奏する他、陳列商品の在庫管理機能、陳列商品の逆戻り防止機能及び陳列商品の姿勢矯正機能が付与できる。
【００１７】
本発明において、商品陳列バー部材等としては、特に制限されず、上記実施の形態の他、丸孔を有するパネル及び二本の線材等が挙げられる。この場合、係合部の形状としては、前者では丸孔に係合する係合部、後者では二本の線材の嵌合する係合部を形成する。
【００１８】
【発明の効果】
本発明によれば、シングルフック、ダブルフック及び前出し機能を有する商品陳列具において、商品の支持は金属製の商品陳列バー部材で行うため重量物でも陳列でき、また、係合部は樹脂であるため商品陳列棚のバー部材に樹脂の弾性により容易に係合及び脱着ができる。また、寸法安定性を有し、種々のアタッチメント機能、商品表示機能、装飾機能及び商品の姿勢矯正機能を有する。また、商品の種類及び陳列の在庫数等により、それに適した長さの商品陳列バーに容易に交換できるため、使い勝手に優れる。
【図面の簡単な説明】
【図１】本発明の第１の実施の形態における商品陳列具の斜視図を示す。
【図２】商品陳列バーを係合部に嵌め込む状態を説明する図である。
【図３】本発明の第２の実施の形態における商品陳列具の斜視図を示す。
【図４】本発明の第３の実施の形態における商品陳列具の斜視図を示す。
【図５】図４の商品陳列具の使用方法を説明する図である。
【図６】図５のＡ−Ａ線に沿って切断した断面を正面から見た図である。
【符号の説明】
１      商品陳列棚のバー部材
２      係合部
３      商品陳列バー
４      支持バー
５      商品表示部
６      スライド杆
７      押し付け体
８      商品の逆戻り防止具
９      商品の姿勢矯正具
１０ａ、１０ｂ、１０ｃ  商品陳列具
１１    弾性体
２１    固定部
２２    係合部本体
２３    連結体
３２    鍔部
４１    スプリング支持体
５１    カード挟持板
５２    カード支持基板
５３    連接部
７１    支持部
７２    押し付け体本体
７３    貫通孔
２１２  嵌合孔
【図１】
0003982722.tif 000002
【図２】
0003982722.tif 000003
【図３】
0003982722.tif 000004
【図４】
0003982722.tif 000005
【図５】
0003982722.tif 000006
【図６】
0003982722.tif 000007